(57)【要約】【課題】振込め詐欺の犯人側からの携帯電話による操作の誘導が困難な自動取引装置を提供する。【解決手段】操作者が操作して振込取引を行なう自動取引装置において、振込取引情報を取引画面に従って入力する顧客操作表示画面を有し、前記顧客操作表示画面に取引画面を表示する順序を、取引毎にランダムに切替えるように制御する。また、振込取引情報に関する選択項目を表示する場合は、選択項目を表示する位置を、取引毎に切替えるように制御する。更に、最終確認画面では、操作者が第三者に誘導されて実際に行なっている取引内容と操作者が第三者に思い込まされている取引内容を併記して表示する。【選択図】    図１
2010117892.tif 000002
【特許請求の範囲】
【請求項１】
操作者が操作して金融取引を行なう自動取引装置において、
金融取引に必要な情報を取引画面に従って入力する顧客操作表示部を有し、
更に、前記顧客操作表示部に取引画面を表示する順序を、取引毎に切替えるように制御する制御部を有することを特徴とする自動取引装置。
【請求項２】
操作者が操作して金融取引を行なう自動取引装置において、
金融取引に必要な情報を選択操作可能にする選択項目を表示する顧客操作表示部と、
選択された選択項目に従って処理を行なう制御部を有し、
更に、前記制御部は、前記顧客操作表示部に前記選択項目を表示する位置を、取引毎に切替えるように制御することを特徴とする自動取引装置。
【請求項３】
前記金融取引は振込取引であることを特徴とする請求項１又は２記載の自動取引装置。
【請求項４】
前記金融取引に必要な情報は、振込取引の振込先に関する新規な情報であることを特徴とする請求項１記載の自動取引装置。
【請求項５】
前記制御部が、取引毎に切替える制御は、取引毎にランダムに替える制御であることを特徴とする請求項１又は２記載の自動取引装置。
【請求項６】
操作者が操作して振込取引を行なう自動取引装置において、
振込取引に必要な情報の入力確認を行う入力確認画面を表示する顧客操作表示部と、
前記顧客操作表示部に表示する入力確認画面の表示を制御するとともに、前記入力確認画面の確認操作に従って振込処理を行なう制御部を有し、
更に、前記制御部によって前記顧客操作表示部の表示する入力確認画面は、操作者が実際に行なっている取引内容及び操作者が第三者に思い込まされている取引内容であることを特徴とする自動取引装置。
【請求項７】
操作者が操作表示部を操作して振込取引を行なう自動取引装置の振込処理方法において、
取引選択の画面を操作表示部に表示し、操作者に振込取引を選択させる取引選択処理工程と、
振込取引に必要な情報を取得するためのメニュー画面の表示順序を取引毎に替えて決定する取引フロー生成工程と、
前記取引フロー生成工程により決定されたメニュー画面の表示順序に従って、前記メニュー画面を操作表示部に表示し、操作者により入力された前記振込取引に必要な情報を処理する取引情報入力処理工程と、
前記取引情報入力処理工程による前記振込取引に必要な情報に基づいて振込処理を行なう振込処理実行工程を含むことを特徴とする自動取引装置の振込処理方法。
【請求項８】
前記振込取引に必要な情報は、振込取引の振込先に関する新規な情報であることを特徴とする請求項７記載の自動取引装置の振込処理方法。
【請求項９】
前記取引フロー生成工程において決定するメニュー画面の表示順序は、取引毎にランダムに替えることを特徴とする請求項７記載の自動取引装置の振込処理方法。
【請求項１０】
請求項７記載の自動取引装置の振込処理方法において、前記取引選択処理工程は、
複数の取引種別を表示するボタンのレイアウトを取引毎に替えて決定する取引選択レイアウトパターン生成工程と、
前記ボタンに表示する文字列を取引毎に替えて決定する取引選択ボタン文字生成工程と、
前記取引選択レイアウトパターン生成工程と、前記取引選択ボタン文字生成工程により決定されたデータをもとに取引選択メニュー画面を表示する取引選択メニュー表示工程を含むことを特徴とする自動取引装置の振込処理方法。
【請求項１１】
前記取引選択レイアウトパターン生成工程において決定されるボタンのレイアウト又は前記取引選択ボタン文字生成工程において決定される文字列は取引毎にランダムに替えることを特徴とする請求項１０記載の自動取引装置の振込処理方法。
【請求項１２】
操作者が操作表示部を操作して振込取引を行なう自動取引装置の振込処理方法において、
振込取引に必要な情報を入力する画面を操作表示部に表示し、操作者に振込取引に必要な情報を入力させる情報入力工程と、
入力の確認のための情報を表示するボタンのレイアウトを取引毎に替えて決定する確認用レイアウトパターン生成工程と、
前記ボタンに表示する文字列を取引毎に替えて決定する確認用ボタン文字生成工程と、
前記確認用レイアウトパターン生成工程と、前記確認用ボタン文字生成工程により決定されたデータをもとに確認メニュー画面を表示する確認用メニュー表示工程を含むことを特徴とする自動取引装置の振込処理方法。
【請求項１３】
前記確認用レイアウトパターン生成工程において決定されるボタンのレイアウト又は前記確認用ボタン文字生成工程において決定される文字列は、取引毎にランダムに替えることを特徴とする請求項１２記載の自動取引装置の振込処理方法。
【請求項１４】
請求項１２記載の自動取引装置の振込処理方法において、
前記確認用メニュー表示工程におけるボタンに表示する情報は、操作者が実際に行なっている取引内容及び操作者が第三者に思い込まされている取引内容を含むことを特徴とする自動取引装置の振込処理方法。
【発明の詳細な説明】
【技術分野】
【０００１】
本発明は金融機関の営業店等に設置される自動取引装置に関するものである。
【背景技術】
【０００２】
従来、金融機関の営業店等に設置される自動取引装置は、当該金融機関や他の金融機関における他の口座に対し振込みをする振込取引を行なうことができる。しかしながら、近年このような振込取引を利用した振込め詐欺が横行しており、このことが社会問題となっている。このような振込め詐欺を防止するため、従来より様々な技術が開発されている。特開２００７−１８２９５号公報（特許文献１）は、振込め詐欺に使用されていると思われる口座を過去に行なわれた取引履歴から推定し、その口座への振込みをする端末に警告を表示するものである。また、特開２００６−３０２２２１号公報（特許文献２）は、同様に、詐欺に使用されていると思われる口座を、その取引履歴から推定し、その口座からの出金を禁止することにより、犯人側へ現金が渡ることを阻止しようとするものである。
【０００３】
このような自動取引装置における振込め詐欺の防止技術は、振込先の口座の取引履歴等から異常性を検出して、振込取引を阻止しようとするものが多い。特に、操作者に対しては、メニュー画面に積極的に警告メッセージを表示し、操作者にアピールすることで不正な取引を阻止しようとしている。
【特許文献１】特開２００７−１８２９５号公報
【特許文献２】特開２００６−３０２２２１号公報
【発明の開示】
【発明が解決しようとする課題】
【０００４】
しかしながら、振込め詐欺、即ち振込ませる方法による詐欺の形態が多様化しており、そのうち、いわゆる「還付金詐欺」といわれる詐欺の手口には、自動取引装置のメニュー画面に警告メッセージを表示するだけでは対処することができなくなっている。
【０００５】
その理由は、（１）自動取引装置からの振込時の操作手順が、定型化されており、操作手順を熟知していれば、メニュー画面を見なくても、携帯電話によって「上から何番目のボタンを押せ。」のような指示ができる。そのため、だます側にとって、携帯電話を通じての操作の誘導が容易である。（２）還付金を受取る目的で自分の口座に振込もうとしている操作が、実は自分の口座から他人の口座に振込む操作を行なっているという誤りがある。それに気付かせる工夫が不足している。従って、振込ませる側は、言葉巧みに誘導し、実際の取引で何が実行されるのかを想起させないように自動取引装置を操作させ、操作者の口座から指定する口座へ大金を振込ませることができてしまうという問題があった。
【０００６】
本発明が解決しようとする課題は、自動取引装置の振込取引において、振込め詐欺の犯人側からの携帯電話等による操作の誘導が困難な自動取引装置を提供することにある。また、自動取引装置の振込取引において、操作者が実際に行なっている取引（操作者の口座から犯人の指定する口座へ振込む取引）が、操作者が意図した取引（操作者の口座へ還付金を受取る取引）ではないことを気付き易くする自動取引装置を提供することにある。
【課題を解決するための手段】
【０００７】
上記課題を解決するために、請求項１記載の発明は、操作者が操作して金融取引を行なう自動取引装置において、金融取引に必要な情報を取引画面に従って入力する顧客操作表示部を有し、更に、前記顧客操作表示部に取引画面を表示する順序を、取引毎に切替えるように制御する制御部を有することを特徴とする自動取引装置である。
【０００８】
また、請求項２記載の発明は、操作者が操作して金融取引を行なう自動取引装置において、金融取引に必要な情報を選択可能にする選択項目を表示する顧客操作表示部と、選択された選択項目に従って処理を行なう制御部を有し、更に、前記制御部は、前記顧客操作表示部に前記選択項目を表示する位置を、取引毎に切替えるように制御することを特徴とする自動取引装置である。
【０００９】
また、請求項６記載の発明は、操作者が操作して振込取引を行なう自動取引装置において、振込取引に必要な情報の入力確認を行う入力確認画面を表示する顧客操作表示部と、前記顧客操作表示部に表示する入力確認画面の表示を制御するとともに、前記入力確認画面の確認操作に従って振込処理を行なう制御部を有し、更に、前記制御部によって前記顧客操作表示部の表示する入力確認画面は、操作者が実際に行なっている取引内容及び操作者が第三者に思い込まされている取引内容であることを特徴とする自動取引装置である。
【発明の効果】
【００１０】
本発明によれば、自動取引装置の振込取引において、犯人側からの携帯電話等による操作の誘導が困難な自動取引装置を提供することができる。また、自動取引装置の振込取引において、操作者が実際に行なっている取引が、操作者が意図した取引ではないことを気付き易くする自動取引装置を提供することができる。
【発明を実施するための最良の形態】
【００１１】
（第１の実施の形態）
以下、本発明の第１の実施の形態を図面に従って説明する。図２は第１の実施の形態に関する自動取引装置（以下ＡＴＭという）１の外観図である。ＡＴＭ１は銀行等の金融機関やコンビニエンスストア等に設置され、入出金取引や振込取引等が可能である。ＡＴＭ１は入出金取引において操作者に対し、紙幣を投入又は返却するための紙幣投入返却口２を有する。入金取引等の紙幣を投入する取引においては、操作者が当該紙幣投入返却口２に紙幣をセットすると、これをＡＴＭ１が自動計数し、装置内部に取込む。支払取引等の紙幣を操作者に払出す取引においては、ＡＴＭ１が紙幣を自動計数し、当該紙幣投入返却口２にセットすることにより、操作者が取出し可能とする。また、ＡＴＭ１は同じく、硬貨を投入又は返却するための硬貨投入返却口３を有する。入金取引等の硬貨をＡＴＭ１に投入する取引において、操作者が当該硬貨投入返却口３に硬貨をセットすると、これをＡＴＭ１が自動計数し、内部に取込む。支払取引等の硬貨を操作者に払出す取引においては、ＡＴＭ１が硬貨を自動計数し、当該硬貨投入返却口３にセットすることにより、操作者が取出し可能とする。
【００１２】
更に、ＡＴＭ１は操作者識別カードであるキャッシュカードの挿入を可能とするカード挿入口４を有する。キャッシュカードには、後述する銀行名、支店名、口座種類、口座番号等の操作者本人を特定する操作者情報が記憶されている。また、ＡＴＭ１は通帳記帳を伴う取引のとき当該通帳を挿入する通帳挿入口６を有する。更に、ＡＴＭ１は操作者が取引操作を可能にするための顧客操作表示画面７を有する。顧客操作表示画面７は操作者が取引操作するための取引誘導メッセージが表示され、そのためタッチパネル機能を有する。操作者は当該顧客操作表示画面７を押下することにより、操作入力することができる。
【００１３】
図１は第１の実施の形態に関するＡＴＭ１の構成図である。１０はＡＴＭ１の各部を制御する制御部である。当該制御部１０は、ＲＡＭやＲＯＭ又はハードディスク等で構成された記憶部１１と接続される。制御部１０は記憶部１１に記憶された制御プログラムにより動作する。また、制御部１０は各処理に必要なデータを記憶部１１に書き込むことができ、必要に応じて記憶部１１から読み出すことができる。また、制御部１０は、図示しないホストコンピュータと通信部１８を介して接続され、振込みに関する情報を交換する。
【００１４】
１２は紙幣を処理するための紙幣入出金部であり、操作者により前記紙幣投入返却口２から投入される紙幣を真偽鑑別し、計数し、搬送して図示しない金種別のカセット部に収納する。更に、操作者に支払われる紙幣を金種別のカセット部より繰出し紙幣投入返却口２にセットするものである。１３は硬貨を処理するための硬貨入出金部であり、操作者により前記硬貨投入返却口３から投入される硬貨を真偽鑑別し、計数し、搬送して図示しない金種別のカセット部に収納し、又は操作者に支払われる硬貨を金種別のカセット部より繰出し硬貨投入返却口３にセットするものである。
【００１５】
１４はカードリードライト部であり、操作者が前記カード挿入口４から挿入したキャッシュカードの情報を読取り、取引終了時にカード挿入口４から排出し、操作者に返却する。１５は操作者に発行するレシートの発行処理を行なうレシート印字部である。レシート印字部１５は取引明細の印字を行い、取引終了時にレシートを前記カード挿入口４から排出する。１６は通帳印字部であり、操作者が前記通帳挿入口６から挿入した通帳に取引内容を印字し、その通帳を通帳挿入口６から排出し、操作者に返却する。
【００１６】
１７は操作者の取引操作のための操作表示部である。操作表示部１７は、操作者が取引操作するための取引誘導画面を前記顧客操作表示画面７に表示し、また操作者の入力操作から入力データを取得する。そして、操作者の入力データは、前記制御部１０に送られて処理される。操作表示部１７は制御部１０からの指示で各種メニュー画面を切替表示する。
【００１７】
図３は第１の実施の形態に関する前記制御部１０の機能を示す機能ブロック図である。前記制御部１０は前記記憶部１１に記憶された制御プログラムにより動作する。同図において、取引選択処理部２１は操作者に対し、入金取引、出金取引、振込取引、残高照会、通帳記帳、キャッシングのうち何れかの取引であるか選択させる。取引選択処理部２１は取引制御部２０の制御に基づいて、取引選択の画面を表示し、操作者が振込取引を選択すると、次の画面に移行する。
【００１８】
取引フロー生成部２２は、振込取引において、後述する振込情報（振込取引に必要な情報）を取得するための対話式の振込情報入力メニュー画面の表示順序（即ち取引フロー）を決定する。振込情報入力メニュー画面の表示順序は取引毎にランダムに替える。決定された振込情報入力メニュー画面の表示順序は取引制御部２０の制御に基づいて、前記記憶部１１に記憶される。取引情報入力処理部２３は、記憶部１１に記憶された振込情報入力メニュー画面の表示順序に従って、顧客操作表示画面７に対し振込情報入力メニュー画面を表示し、操作者の入力を促す。そして、操作者により入力された各種振込情報は当該取引情報入力処理部２３により処理され、取引制御部２０の制御に基づいて、前記記憶部１１に記憶される。振込処理実行部２４は記憶部１１に記憶された振込情報に基づいて振込処理を行なう。
【００１９】
次に第１の実施の形態に関する動作を説明する。図４は第１の実施の形態に関する動作を示すフローチャートである。前記操作表示部１７によって、前記顧客操作表示画面７に図示しない取引選択画面が表示され、入金取引、出金取引、振込取引、残高照会、通帳記帳、キャッシングの各種取引が選択可能に表示される。操作者は顧客操作表示画面７に表示された各種取引から「振込取引」を選択する。制御部１０は操作表示部１７を制御し、操作者が「振込取引」を選択したことを確認する（Ｓ１０１）。
【００２０】
振込取引選択によって、制御部１０は操作表示部１７を制御し、顧客操作表示画面７を推移させ、キャッシュカードによる振込みか、現金による振込みかを選択する画面にする(Ｓ１０２)。ここで現金が選択される場合は、本実施の形態とは異なる処理をする。
【００２１】
ステップ１０２においてキャッシュカードによる振込みが選択される場合、制御部１０は操作表示部１７を制御し、登録先への振込みか否かを選択する画面にする(Ｓ１０３)。ここで登録先への振込みが選択された場合は、通常の処理フローとなる。
【００２２】
ステップ１０３において登録先以外（新規）への振込みが選択された場合は、制御部１０は振込情報を取得するための対話式のメニュー画面の表示順序（即ち取引フロー）を決める(Ｓ１０４)。振込情報入力メニュー画面の表示順序は取引毎にランダムに切替えて決定される。
【００２３】
この振込情報入力メニュー画面の表示順序は図５に示す振込情報３１〜３５を取得する順序（即ち取引フロー）のことである。図５は振込情報の各項目を示す説明図である。振込元口座情報３１、振込先口座情報３２、振込金額３３、キャッシュカードの暗証番号３４、振込人名義情報３５は振込情報、即ち振込取引に必要な情報である。振込元口座情報３１は、銀行名３１−１、支店名３１−２、口座種類３１−３、口座番号３１−４の振込元口座データからなる。また、振込先口座情報３２は、同じく銀行名３２−１、支店名３２−２、口座種類３２−３、口座番号３２−４の振込先口座データからなる。なお、通常のＡＴＭ１では、この振込情報３１〜３５を取得する順序は一通り又は数通りに固定されているが、本実施の形態では、この取得する順序を取引毎にランダムに切替えて設定し、振込情報入力メニュー画面を遷移させる。
【００２４】
ここで図５に示す振込元口座情報３１は、ＡＴＭ１の操作者が前記カード挿入口４に挿入したキャッシュカードから得ることができる。一方、振込先口座情報３２、振込金額３３、暗証番号３４及び振込人名義情報３５については、ＡＴＭ１の操作者が対話式の振込情報入力メニュー画面から入力する情報から得なければならない。
【００２５】
対話式の振込情報入力メニュー画面から入力する各情報は、例えば図６に示す様なメニュー画面を用いて対話式に操作者から入力させて得なければならない。図６は暗証番号入力メニュー画面の一例を示す説明図である。これら振込情報入力メニュー画面は、図５に示す振込情報３２〜３５及び振込先口座データ３２−１〜３２−４にそれぞれ対応したものを記憶部１１に記憶しておく。なお、同図中３４−２は暗証番号入力確認用表示窓、３６はテンキーであり、３７は確認ボタン、３８は訂正ボタン、３９は取消ボタンである。
【００２６】
図７は振込情報３２〜３５に関する振込情報入力メニュー画面群を示す説明図である。振込先口座情報入力メニュー画面群４１は前記振込先口座情報３２を取得するための入力メニュー画面である。振込金額入力メニュー画面群４２は前記振込金額３３を取得するための入力メニュー画面である。暗証番号入力メニュー画面群４３は暗証番号３４を取得するための入力メニュー画面であり、振込人情報入力メニュー画面４４は振込人名義情報３５を取得するための入力メニュー画面である。このように、前記振込情報３２〜３５に対応するメニュー画面群を有する。ここで「メニュー画面群」としているのは、これが単一のメニュー画面ではなく、複数のメニュー画面が階層的になっていることを意味する。
【００２７】
図４に戻り、前記ステップ１０４において決定する振込情報入力メニュー画面の表示順序は、例えばある取引の場合は、暗証番号３４→振込人名義情報３５→振込元口座情報３１→振込先口座情報３２→振込金額３３の順とし、別の取引の場合は、振込人名義情報３５→振込元口座情報３１→振込先口座情報３２→暗証番号３４→振込金額３３の順とする。このように、制御部１０は取引毎にランダムに切替えて決定する。
【００２８】
制御部１０は前記記憶部１１を制御し、ステップ１０４において決定した順序を記憶部１１に一旦記憶する。このとき、振込先口座データ３２−１〜３２−４については、関連性の高いグループであり、他の振込情報３１、３３〜３５と混合して表示してしまうと操作者に混乱を与えてしまうため、入力順としてこれら振込先口座データ３２−１〜３２−４が一連でなければならない。従って、前記記憶部１１には、振込先口座データ３２−１〜３２−４と他の振込情報３１、３３〜３５の順序とは区別して記憶する。
【００２９】
次に、制御部１０は、ステップ１０４において決定されたメニュー画面の表示順序に従って、前記振込情報３２〜３５それぞれに対応しているメニュー画面４１〜４４を前記記憶部１１から順次呼び出し、前記操作表示部１７を介して、前記顧客操作表示画面７に表示する。これにより、振込取引に必要な情報を顧客操作表示画面７から入力させる。一方、振込元口座情報３１については、制御部１０は前記カードリードライト部１４から読み出して取得する。こうして制御部１０は、取得した振込情報３１〜３５に関する入力データを前記記憶部１１に記憶する (Ｓ１０５)。
【００３０】
なお、振込先口座情報３２に対応するメニュー画面を呼び出す場合には、制御部１０は、ステップ１０４で生成した振込先口座データ３２−１〜３２−４のメニュー画面の表示順序に従って、対応する振込先口座情報入力メニュー画面群４１から順次対応するメニュー画面を呼び出し、顧客操作表示画面７に表示する。取得した振込先口座データ３２−１〜３２−４に関する入力データは、前記記憶部１１に記憶する。
【００３１】
一通りのデータを取得したら、制御部１０は、取得したデータをもとに、取引内容を例えば図８に示すような画面で表示して、操作者の確認を促す(Ｓ１０６)。図８は振込先口座情報の確認メニュー画面の一例を示す説明図である。制御部１０は、前記操作表示部１７を制御し、前記顧客操作表示画面７に取引内容確認画面として、振込先口座情報３２の銀行名３２−１、支店名３２−２、口座種類３２−３、口座番号３２−４を表示し、更に、確認ボタン３７、訂正ボタン３８、取消ボタン３９を表示する。操作者が図８に示す確認ボタン３７を押下すると、振込処理実行がなされ、実際に振込みが行なわれる(Ｓ１０７)。訂正ボタン３８を押下すると図示しない訂正画面が表示され、取消ボタン３９を押下すると所定の画面に戻る。
【００３２】
以上のように、第１の実施の形態によれば、振込情報を取得するためのメニュー画面の表示順序を取引毎にランダムに替えて決定する取引フロー生成を行なう制御部を設けたことで、画面を見ずに電話越しに指示された操作順序と、実際に画面を見て行なおうとする操作順序を異ならせることができる。それが実際の操作者に取引の異常性を判断する機会となり、還付金詐欺の実行を阻止することができる。また、既に登録された振込先に対して振込みをするような通常の振込みの場合には、常に固定の取引フローで操作をすることができるため、繰返し振込みを実施するようなＡＴＭ１を使い慣れた者（善意の利用者）は、定型的な画面操作をすることが出来、振込処理に余分な時間をかけることなく利用することができる。よって、還付金詐欺を阻止することが可能となる。
【００３３】
（第２の実施の形態）
次に第２の実施の形態について説明する。前記第１の実施の形態の説明と同一の構成要素については同一の符号にて示す。図９は第２の実施の形態に関するＡＴＭ１の構成図である。第２の実施の形態に関するＡＴＭ１の構成は、前記第１の実施の形態に対し、メニュー情報記憶部５２が追加されている。
【００３４】
５０はＡＴＭ１の各部を制御する制御部である。当該制御部５０は、ＲＡＭやＲＯＭ又はハードディスク等で構成された記憶部５１と接続される。制御部５０は記憶部５１に記憶された制御プログラムにより動作する。また、制御部５０は各処理に必要なデータを記憶部５１に書き込むことができ、必要に応じて記憶部５１から読み出すことができる。
【００３５】
更に、ＡＴＭ１は各種メニュー画面のレイアウトと、画面上の選択項目を示すボタンに関するデータが記憶された前記メニュー情報記憶部５２と接続されている。当該メニュー情報記憶部５２には後述する取引選択メニュー画面、振込情報入力メニュー画面、最終確認用メニュー画面等の各種メニュー画面を表示するのに必要なデータ（レイアウトパターン、ボタンの文字等）が記憶されている。これらのデータは各種メニュー画面の生成と表示に使用される。１７は操作者の取引操作のための操作表示部である。操作表示部１７は、操作者が取引操作するための取引誘導画面を前記顧客操作表示画面７に表示し、また操作者の入力操作から入力データを取得する。そして、操作者の入力データは、前記制御部５０に送られて処理される。操作表示部１７は制御部５０からの指示で各種メニュー画面を切替表示する。
【００３６】
図１０は第２の実施の形態に関する制御部５０の機能を示す機能ブロック図である。制御部５０は前記記憶部５１に記憶された制御プログラムにより動作し、前記メニュー情報記憶部５２に記憶された各種メニュー画面に関するデータより、メニュー画面の生成と表示を行なう。
【００３７】
取引選択レイアウトパターン生成部６１は、操作者に対し、入金取引、出金取引、振込取引、残高照会、通帳記帳、キャッシングのうち何れの取引であるか選択させるための取引選択メニュー画面の選択項目を示すボタンのレイアウトを決定する。取引選択メニュー画面のボタンのレイアウトは取引毎にランダムに切替えて決定され、決定された取引選択メニュー画面は前記メニュー情報記憶部５２に記憶される。取引選択ボタン文字生成部６２は、取引選択メニュー画面のボタンに表示する文字列、即ちそのボタンが押下された場合の機能を決定する。取引選択メニュー画面のボタンの文字列は取引毎にランダムに切替えて決定され、決定されたボタンの文字列は前記メニュー情報記憶部５２に記憶される。取引選択メニュー表示部６３は、これら取引選択メニュー画面のボタンのレイアウトと文字列のデータをもとに、取引制御部６０の制御に基づいて、操作表示部１７を介して顧客操作表示画面７に取引選択メニュー画面を表示する。操作者が振込取引を選択すると、取引制御部６０にデータを送信する。
【００３８】
取引フロー生成・情報入力部６４は、振込取引において、後述する振込情報（振込取引に必要な情報）を取得するための対話式の振込情報入力メニュー画面の表示順序（即ち取引フロー）を決定する。振込情報入力メニュー画面の表示順序は、例えばある取引の場合は、暗証番号３４→振込人名義情報３５→振込元口座情報３１→振込先口座情報３２→振込金額３３の順とし、別の取引の場合はこれと異なる順序とする。振込情報入力メニュー画面の表示順序は取引毎にランダムに替えて決定する。決定された振込情報入力メニュー画面の表示順序は取引制御部２０の制御に基づいて、前記メニュー情報記憶部５２に記憶する。更に、取引フロー生成・情報入力部６４は、振込情報入力メニュー画面を顧客操作表示画面７に表示し、操作者の振込情報の入力を受付ける。入力された振込情報は記憶部５１に記憶される。
【００３９】
確認用ボタン文字生成部６５は、操作者によって入力された振込情報の確認メニュー画面のボタン文字列、即ちそのボタンが押下された場合の機能を決定する。即ち、「処理の承認」、「入力データの修正」、「取引そのものの中止」の同意の文字列群から、ボタンに表示する文字列を取引毎にランダムに切替えて決定する。決定された入力確認用のボタン文字列は取引制御部２０の制御に基づいて、前記メニュー情報記憶部５２に記憶する。
【００４０】
確認情報入力部６６は、操作者により入力された振込情報を、前記確認用ボタン文字生成部６５にて決定した入力確認用のボタン文字列とともに、前記顧客操作表示画面７に表示し、操作者に確認を促す。
【００４１】
最終確認用レイアウトパターン生成部６７は、取引内容を最終確認するため最終確認用レイアウトパターンを決定する。決定された最終確認用レイアウトパターンは、取引制御部２０の制御に基づいて、メニュー情報記憶部５２に記憶する。最終確認用ボタン文字生成部６８は、前記最終確認用レイアウトパターン生成部６７で選択した最終確認用レイアウトパターンの各ボタンに表示する文字列、即ちそのボタンが押下された場合の機能を取引毎にランダムに切替えて選択して決定する。決定された各ボタンに表示する文字列は、取引制御部２０の制御に基づいて、前記メニュー情報記憶部５２に記憶する。最終確認用メニュー表示部６９は、記憶部５１とメニュー情報記憶部５２に記憶された最終確認用レイアウトパターンと文字列に関するデータをもとに最終確認用メニュー画面を前記顧客操作表示画面７に表示し、操作者に振込情報の確認を促す。確認された振込情報は前記記憶部５１に記憶する。振込処理実行部２４は記憶部５１に記憶された振込情報に基づいて振込処理を行なう。
【００４２】
次に、第２の実施の形態に関する動作について説明する。図１１は第２の実施の形態に関する動作を示すフローチャートである。操作者がＡＴＭ１の顧客操作表示画面７に触れると処理が開始される。制御部５０は、取引選択のメニュー画面のレイアウトパターンを決める。図１２、図１３は取引選択メニュー画面を示す説明図である。メニュー情報記憶部５２には、取引ボタンのレイアウトが異なる複数の取引選択メニュー画面のレイアウトパターンが記憶されている。
【００４３】
図１２（ａ）〜（ｄ）、図１３（ｅ）〜（ｈ）では文字を図示してあるが、記憶されているレイアウトパターンはボタンのレイアウトパターンのみであり、まだ文字がない状態である。図１２(ａ)のレイアウトは、ボタンが上下に３個づつ配置される。同図（ｂ）のレイアウトは、ボタンが左上と右下に３個づつ配置される。同図（ｃ）のレイアウトは、ボタンが左下と右上に３個づつ配置される。同図（ｄ）のレイアウトは、ボタンが左側と右側に３個づつ配置される。図１３（ｅ）のレイアウトは、ボタンが左側に２個、右側に４個配置される。同図（ｆ）のレイアウトは、ボタンが左上から中央下に向かって３個、中央上から右下に向かって３個斜めに配置される。同図（ｇ）のレイアウトは、ボタンが略左上から略右下に向かって６個斜めに配置される。同図(ｈ)のレイアウトは、ボタンが上段左右両端に１個づつ、下段に４個配置される。制御部５０は、その中から取引毎にランダムに替えて決定したメニューの番号（例えばＮｏ．１）を選択し、前記メニュー情報記憶部５２に記憶する（Ｓ２０１）。
【００４４】
制御部５０は、取引選択メニュー画面のレイアウトパターンのうちメニュー番号（例えばＮｏ．１）を決定すると、次に取引選択メニュー画面のボタンに表示する文字列を決定する。即ち、取引選択メニュー画面のボタンの定義付けを行なう。具体的には「キャッシング」、「通帳記入」、「預入れ」、「振込み」、「お引出し」、「残高照会」の６つの取引項目があり、これらを前記ステップ２０１で選択した取引選択メニュー画面の取引選択メニューのボタンのどこにどの文字を表示するかの関連付けを前記メニュー情報記憶部５２に記憶する。例えば、メニュー番号（Ｎｏ．１）の取引選択メニュー画面では、上段に、キャッシング４５、通帳記入２６、預入れ９を定義付け、下段に振込み５、お引出し８、残高照会２５を定義付ける。この文字列は取引毎にランダムに切替わる（Ｓ２０２）。
【００４５】
前記ステップ２０１、ステップ２０２で記憶されたデータをもとに、例えば図１２(ａ)に示す取引選択メニュー画面（Ｎｏ．１）を表示する（Ｓ２０３）。取引選択メニュー画面のボタンが押下されると、前記メニュー情報記憶部５２に記憶してある取引選択メニュー画面のボタンとの関連づけデータと照合して、各ボタンに割り付けられた処理を制御部５０からの指示で実行する。押下された取引選択メニュー画面のボタンが振込みボタン５であった場合、制御部５０は操作表示部１７を制御し、操作者が「振込取引」を選択したことを確認する(Ｓ２０４)。
【００４６】
以上までが、取引選択メニューにおけるボタンのレイアウト表示と、ボタンの文字列表示と、振込み取引が選択されるまでのフローである。次に、振込取引選択によって、制御部５０は操作表示部１７を制御し、顧客操作表示画面７を推移させ、キャッシュカードによる振込みか、現金による振込みかを選択する画面にする(Ｓ２０５)。ここで現金が選択される場合は、本実施の形態とは異なる処理をする。
【００４７】
ステップ２０５においてキャッシュカードによる振込みが選択される場合、制御部５０は操作表示部１７を制御し、登録先への振込みか否かを選択する画面にする(Ｓ２０６)。ここで登録先への振込みが選択された場合は、通常の処理フローとなる。
【００４８】
ステップ２０６において新規への振込みが選択された場合は、制御部５０は振込情報を取得するための振込情報入力メニュー画面の表示順序（即ち取引フロー）を決める。制御部５０は、振込情報入力メニュー画面の表示順序を取引毎にランダムに切替えて決定する。決定した振込情報入力メニュー画面の表示順序はメニュー情報記憶部５２に記憶する。
【００４９】
この振込情報入力メニュー画面の表示順序は、前記第１の実施の形態と同様に図５に示す振込情報３１〜３５を取得する順序のことである。振込情報入力メニュー画面から入力する各情報は、前記第１の実施の形態と同様に例えば図６に示す様な暗証番号入力メニュー画面を用いて対話式に操作者から入力させる。また、前記振込情報３２〜３５と前記振込情報入力メニュー画面との関係は、前記第１の実施の形態と同様である。
【００５０】
次に、制御部５０は、決定した振込情報入力メニュー画面の表示順序に従って、前記振込情報３２〜３５のそれぞれに対応している前記メニュー画面４１〜４４を前記メニュー情報記憶部５２から順次呼び出し、操作表示部１７を介して、顧客操作表示画面７に表示する。これにより、振込取引に必要な情報を顧客操作表示画面７から入力させる。また、振込元口座情報３１については前記カードリードライト部１４から読み出して取得する。取得した振込情報３１〜３５に関する入力データは、前記記憶部５１に記憶する (Ｓ２０７)。
【００５１】
次に、制御部５０は、操作者によって入力された振込情報の確認メニュー画面のボタン文字列を決定する。即ち、「処理の承認」、「入力データの修正」、「取引そのものの中止」の同意の文字列群から、ボタンに表示する文字列を決定する。文字列の決定は、取引毎にランダムに切替える。決定された入力確認用のボタン文字列は前記メニュー情報記憶部５２に記憶する（Ｓ２０８）。
【００５２】
図１４は振込先口座情報３２の確認メニュー画面を示す説明図である。同図において、操作者により入力された振込先口座情報３２の銀行名３２−１、支店名３２−２、口座種類３２−３、口座番号３２−４、確認ボタン３７、訂正ボタン３８、取消ボタン３９が表示されている。これらは、振込先口座情報３２のうち確認ボタン３７、訂正ボタン３８、取消ボタン３９の配列が異なる６つのパターンＡ〜Ｆであり、前記メニュー情報記憶部５２に記憶されている。制御部５０は、パターンＡ〜Ｆの中から１つを決定し、パターン番号１〜６を前記メニュー情報記憶部５２に記憶する。パターンＡ〜Ｆの決定は取引毎にランダムに切替えて行われる。また、それぞれのパターンＡ〜Ｆの確認メニュー画面のボタンに表示する文字列は、次に示すように固定ではない。
【００５３】
図１５は確認メニュー画面のボタンに表示する文字列群を示す説明図である。承認をするための文字列群３７−１には「確認、承認、ＯＫ、先へ進む」が含まれる。一部修正をするための文字列群３８−１には「訂正、修正、やりなおす」が含まれる。更に、処理を中断するための文字列群３９−１には「取消、中止、やめる」が含まれ、これら各群には同じ意味の文字が含まれる。同図に示すような文字列群がメニュー情報記憶部５２に予め記憶されていて、制御部５０はそれぞれの群から一つずつ、取引毎にランダムに切替えて決定する。選択した文字列はメニューパターンを指すデータとともに記憶部５１に記憶する。
【００５４】
次に、操作者により入力された振込情報を顧客操作表示画面７に表示し、操作者に確認を促す(Ｓ２０９)。操作者により、確認ボタンが押下された場合は、次の最終確認のステップに移る。なお、訂正ボタンが押下された場合、取消ボタンが押下された場合については処理をやり直す（図示省略）。
【００５５】
前記ステップ２０９において、確認ボタンが押下されると、制御部５０は、操作者に対し取引内容を最終確認するための最終確認用レイアウトパターンを決定する。図１６は最終確認用レイアウトパターンを示す説明図である。最終確認用レイアウトパターンは振込取引の内容を最終確認するために使用するもので、前記メニュー情報記憶部５２に予め４種類を記憶してある。制御部５０は、この中から取引毎にランダムに１つを選択し、そのメニュー番号（例えば同図（ａ）のＮｏ．１）を記憶部５１に記憶する(Ｓ２１０)。
【００５６】
次に、制御部５０は、前記ステップ２１０で選択した最終確認用レイアウトパターン（Ｎｏ．１）の各ボタンＡ〜Ｃに表示する文字列を決定する。例えば、ボタンＡは「お客様のカード口座の○○銀行○○支店から、指定口座の△△銀行□□支店へ１０万円振込みます。」である。また、ボタンＢは「指定口座の△△銀行□□支店から、お客様のカード口座の○○銀行○○支店へ１０万円振込みます。」である。更に、ボタンＣは「取引を中止します。」である。この各ボタンＡ〜Ｃに表示する文字列は、取引毎にランダムに切替える。なお、Ａ〜Ｃの文字列は前記ステップ２０９で入力されたデータ（振込元の銀行・支店名や振込先の銀行・支店名、及び振込金額）をもとに作成され、記憶部５１に記憶する(Ｓ２１１)。
【００５７】
ここで、Ａの文字列は、操作者が犯人に誘導されて実際に行なっている取引（即ち、犯人側が操作者を誘導しようとしている取引であり、換言すると、操作者の口座から犯人の指定する口座へ振込む取引）である。Ｂの文字列は、操作者が犯人側に思い込まされている取引（即ち、操作者が意図した取引であり、換言すると、操作者の口座へ還付金を受取る取引）となっている。Ｃの文字列は取引そのものを中止する内容となっている。
【００５８】
最後に、制御部５０は、記憶部５１に記憶されたデータをもとに、最終確認用メニュー画面を表示する(Ｓ２１２)。Ａの文字列が割り当てられているボタンが押下された場合のみ、振込処理実行ステップ(Ｓ２１４)に進み、実際の振込みの処理を実行する。それ以外のボタン（Ｂ又はＣ）が押下された場合には、取引を中止する。
【００５９】
以上のように、第２の実施の形態によれば、振込取引において、取引選択メニュー画面、確認メニュー画面及び最終確認用メニュー画面のボタンのレイアウトや文字列を取引毎にランダムに切替えて決定する制御部を設けたことにより、取引の手順の中で押下しなければならないボタンの位置が取引ごとに変化するため、実際の操作者の見ている画面を、電話越しにあたかも見ているかのように誘導することは困難になり、「次の画面で、上から２番目のボタンを押して下さい」等のように、実際の取引内容を意識させないための比較的容易な誘導を阻止することができる。
【００６０】
また、操作者が犯人に誘導されて実際に行なっている取引内容（即ち、操作者の口座から犯人の指定する口座へ振込む取引）と、操作者が犯人側に思い込まされている取引内容（即ち、操作者の口座へ還付金を受取る取引）を併記して確認する最終確認用メニュー画面を表示することにより、操作者の操作の誤りに気付き易くすることができる。更にそれらのボタンのレイアウトや文字列を取引毎にランダムに切替えることによって、操作者が表示内容を読まずにボタンを押すことを困難にすることができ、また犯人側の誘導を困難にさせることができる。よって、還付金詐欺を阻止することが可能となる。
【図面の簡単な説明】
【００６１】
【図１】第１の実施の形態に関するＡＴＭの構成図である。
【図２】第１の実施の形態に関するＡＴＭの外観図である。
【図３】第１の実施の形態に関する制御部の機能を示す機能ブロック図である。
【図４】第１の実施の形態に関する動作を示すフローチャートである。
【図５】振込情報の各項目を示す説明図である。
【図６】暗証番号入力メニュー画面の一例を示す説明図である。
【図７】振込情報入力メニュー画面群を示す説明図である。
【図８】第１の実施の形態に関する振込先口座情報の確認メニュー画面の一例を示す説明図である。
【図９】第２の実施の形態に関するＡＴＭの構成図である。
【図１０】第２の実施の形態に関する制御部の機能を示す機能ブロック図である。
【図１１】第２の実施の形態に関する動作を示すフローチャートである。
【図１２】第２の実施の形態に関する取引選択メニュー画面を示す説明図である。
【図１３】同じく取引選択メニュー画面を示す説明図である。
【図１４】第２の実施の形態に関する振込先口座情報の確認メニュー画面を示す説明図である。
【図１５】第２の実施の形態に関する確認メニュー画面のボタンに表示する文字列群を示す説明図である。
【図１６】第２の実施の形態に関する最終確認用レイアウトパターンを示す説明図である。
【符号の説明】
【００６２】
１              ＡＴＭ
７              顧客操作表示画面
１０、５０      制御部
１１、５１      記憶部
１７            操作表示部
５２            メニュー情報記憶部
【図１】
2010117892.tif 000003
【図２】
2010117892.tif 000004
【図３】
2010117892.tif 000005
【図４】
2010117892.tif 000006
【図５】
2010117892.tif 000007
【図６】
2010117892.tif 000008
【図７】
2010117892.tif 000009
【図８】
2010117892.tif 000010
【図９】
2010117892.tif 000011
【図１０】
2010117892.tif 000012
【図１１】
2010117892.tif 000013
【図１２】
2010117892.tif 000014
【図１３】
2010117892.tif 000015
【図１４】
2010117892.tif 000016
【図１５】
2010117892.tif 000017
【図１６】
2010117892.tif 000018